【手続補正書】
【提出日】令和1年12月27日(2019.12.27)
【手続補正１】
【補正対象書類名】明細書
【補正対象項目名】０００１
【補正方法】変更
【補正の内容】
【０００１】
本発明は、スライド操作で生成した複数の線要素に基づく遠近感で表示された表示アイテムを同じ遠近感で複製する情報処理装置、その制御方法、及びプログラムに関する。
【手続補正２】
【補正対象書類名】明細書
【補正対象項目名】００１０
【補正方法】変更
【補正の内容】
【００１０】
本発明は、スライド操作で生成した複数の線要素に基づく遠近感で表示された表示アイテムを同じ遠近感で複製することを目的とする。
【手続補正３】
【補正対象書類名】明細書
【補正対象項目名】００１１
【補正方法】変更
【補正の内容】
【００１１】
上記の目的を達成するために、本発明のプログラムは、情報処理装置を、表示部に表示する表示アイテムの入力を受け付ける入力受付手段と、前記表示部に対するスライド操作によって、前記表示アイテムの遠近感を制御するための複数の線要素を生成する生成手段と、前記入力受付手段で入力を受け付けた表示アイテムを、前記生成手段で生成した前記複数の線要素に応じた遠近感となるように変形した状態で前記表示部に表示するように制御する制御手段と、前記制御手段で変形し表示した前記表示アイテムと、当該表示アイテムの遠近感を制御するための前記複数の線要素とを複製する複製手段として機能させることを特徴とする。
また、本発明の情報処理装置は、表示部に表示する表示アイテムの入力を受け付ける入力受付手段と、前記表示部に対するスライド操作によって、前記表示アイテムの遠近感を制御するための複数の線要素を生成する生成手段と、前記入力受付手段で入力を受け付けた表示アイテムを、前記生成手段で生成した前記複数の線要素に応じた遠近感となるように変形した状態で前記表示部に表示するように制御する制御手段と、前記制御手段で変形し表示した前記表示アイテムと、当該表示アイテムの遠近感を制御するための前記複数の線要素とを複製する複製手段と、を備えることを特徴とする。
また、本発明の情報処理装置の制御方法は、前記情報処理装置の入力受付手段が、表示部に表示する表示アイテムの入力を受け付ける入力受付ステップと、前記情報処理装置の生成手段が、前記表示部に対するスライド操作によって、前記表示アイテムの遠近感を制御するための複数の線要素を生成する生成ステップと、前記情報処理装置の制御手段が、前記入力受付ステップで入力を受け付けた表示アイテムを、前記生成ステップで生成した前記複数の線要素に応じた遠近感となるように変形した状態で前記表示部に表示するように制御する制御ステップと、前記情報処理装置の複製手段が、前記制御ステップで変形し表示した前記表示アイテムと、当該表示アイテムの遠近感を制御するための前記複数の線要素とを複製する複製ステップと、を含むことを特徴とする。
【手続補正４】
【補正対象書類名】明細書
【補正対象項目名】００１２
【補正方法】変更
【補正の内容】
【００１２】
本発明によれば、スライド操作で生成した複数の線要素に基づく遠近感で表示された表示アイテムを同じ遠近感で複製することが可能となる。
【手続補正５】
【補正対象書類名】特許請求の範囲
【補正対象項目名】全文
【補正方法】変更
【補正の内容】
【特許請求の範囲】
【請求項１】
情報処理装置を、
表示部に表示する表示アイテムの入力を受け付ける入力受付手段と、
前記表示部に対するスライド操作によって、前記表示アイテムの遠近感を制御するための複数の線要素を生成する生成手段と、
前記入力受付手段で入力を受け付けた表示アイテムを、前記生成手段で生成した前記複数の線要素に応じた遠近感となるように変形した状態で前記表示部に表示するように制御する制御手段と、
前記制御手段で変形し表示した前記表示アイテムと、当該表示アイテムの遠近感を制御するための前記複数の線要素とを複製する複製手段として機能させるためのプログラム。
【請求項２】
前記複製手段は、前記表示アイテムである第１の表示アイテム、及び前記複数の線要素である複数の第１線要素を複製し、第２の表示アイテム、及び前記第２の表示アイテムに対応する線要素である複数の第２線要素を生成し、
前記制御手段は、前記第１の表示アイテムまたは前記第２の表示アイテムに対する変形指示を受け付けることにより、前記第１の表示アイテム及び前記第２の表示アイテムを変形させるよう制御するための請求項１に記載のプログラム。
【請求項３】
前記制御手段は、前記入力受付手段で入力を受け付けた前記第１の表示アイテムに対して、前記複数の線要素に沿った方向へのスライド操作を受け付けることにより、当該第１の表示アイテム及び前記第２の表示アイテムを当該線要素に沿った遠近感となるよう変形して表示するよう制御するための請求項２に記載のプログラム。
【請求項４】
前記制御手段は、前記入力受付手段で入力を受け付けた線要素の角度を変更するスライド操作を受け付けることにより当該線要素の角度を変更し、前記第１の表示アイテム及び前記第２の表示アイテムを当該線要素に沿った遠近感となるよう変形して表示するよう制御するための請求項２または３のいずれか１項に記載のプログラム。
【請求項５】
前記入力受付手段は、入力を受け付けた前記第１の表示アイテム、または前記第２の表示アイテムの変更を受け付け可能であり、
前記制御手段は、前記入力受付手段で前記第１の表示アイテム、または前記第２の表示アイテムの変更を受け付けると、当該変更を受け付けた表示アイテムを前記第１の表示アイテム及び前記第２の表示アイテムとして表示するよう制御するための請求項２乃至４のいずれか１項に記載のプログラム。
【請求項６】
前記複製手段により複製する方法として、第１の複製方法または第２の複製方法の選択を受け付ける選択受付手段として機能させ、
前記選択受付手段で選択を受け付けた前記第１の複製方法で複製された前記第２の表示アイテムに対する変形指示は、前記第１の表示アイテムには適用されず前記第２の表示アイテムに対して適用され、
前記選択受付手段で選択を受け付けた前記第２の複製方法で複製された前記第２の表示アイテムに対する変形指示は、前記第２の表示アイテムだけでなく前記第１の表示アイテムにも適用されるよう制御するための請求項２乃至５のいずれか１項に記載のプログラム。
【請求項７】
表示部に表示する表示アイテムの入力を受け付ける入力受付手段と、
前記表示部に対するスライド操作によって、前記表示アイテムの遠近感を制御するための複数の線要素を生成する生成手段と、
前記入力受付手段で入力を受け付けた表示アイテムを、前記生成手段で生成した前記複数の線要素に応じた遠近感となるように変形した状態で前記表示部に表示するように制御する制御手段と、
前記制御手段で変形し表示した前記表示アイテムと、当該表示アイテムの遠近感を制御するための前記複数の線要素とを複製する複製手段と、
を備えることを特徴とする情報処理装置。
【請求項８】
情報処理装置の制御方法であって、
前記情報処理装置の入力受付手段が、表示部に表示する表示アイテムの入力を受け付ける入力受付ステップと、
前記情報処理装置の生成手段が、前記表示部に対するスライド操作によって、前記表示アイテムの遠近感を制御するための複数の線要素を生成する生成ステップと、
前記情報処理装置の制御手段が、前記入力受付ステップで入力を受け付けた表示アイテムを、前記生成ステップで生成した前記複数の線要素に応じた遠近感となるように変形した状態で前記表示部に表示するように制御する制御ステップと、
前記情報処理装置の複製手段が、前記制御ステップで変形し表示した前記表示アイテムと、当該表示アイテムの遠近感を制御するための前記複数の線要素とを複製する複製ステップと、
を含むことを特徴とする情報処理装置の制御方法。